(57)【要約】【課題】パスワードの入力を行うことなく使用でき、且つユーザのプライバシーに関わる内部記憶情報が外部に流出するのを防止することができる情報表示システムを提供すること。【解決手段】電波発信装置と情報表示装置とを含む情報表示システムであって、前記電波発信装置は、表示用電波を発信する表示用電波発信手段を備え、前記情報表示装置は、内部記憶情報を格納する格納手段と、前記内部記憶情報を表示する表示手段と、前記表示用電波を受信すると共に受信した表示用電波から表示用電力を生成する表示用電力生成手段とを備えており、前記情報表示装置の前記表示手段は、前記表示用電力生成手段によって生成される表示用電力によって前記内部記憶情報を表示する。【選択図】      図１
2004310627.tif 000002
【特許請求の範囲】
【請求項１】
電波発信装置と情報表示装置とを含む情報表示システムであって、前記電波発信装置は、表示用電波を発信する表示用電波発信手段を備え、前記情報表示装置は、内部記憶情報を格納する格納手段と、前記内部記憶情報を表示する表示手段と、前記表示用電波を受信すると共に受信した表示用電波から表示用電力を生成する表示用電力生成手段とを備えており、
前記情報表示装置の前記表示手段は、前記表示用電力生成手段によって生成される表示用電力によって前記内部記憶情報を表示することを特徴とする情報表示システム。
【請求項２】
前記情報表示装置は、予め自装置に格納されている認証情報を含む認証用電波を発信する認証用電波発信手段を備え、前記電波発信装置は、前記認証用電波を受信する認証用電波受信手段を備え、
前記電波発信装置は、受信した認証用電波に含まれる認証情報が予め登録されているものと一致するか否かを判断し、一致すると判断した場合に表示用電波を発信することを特徴とする請求項１記載の情報表示システム。
【請求項３】
前記電波発信装置は、前記表示用電波と強度が異なる発信用電波を発信する発信用電波発信手段を備え、前記情報表示装置は、前記発信用電波を受信すると共に受信した発信用電波から発信用電力を生成する発信用電力生成手段を備え、
前記情報表示装置の前記認証用電波発信手段は、前記発信用電力生成手段によって生成される発信用電力によって前記認証用電波を発信することを特徴とする請求項２記載の情報表示システム。
【請求項４】
前記発信用電波は、前記表示用電波より弱く、前記発信用電力生成手段によって生成される前記発信用電力は、前記表示用電力生成手段によって生成される前記表示用電力よりも低い電力であることを特徴とする請求項３記載の情報表示システム。
【請求項５】
電力供給装置と情報表示装置とを含む情報表示システムであって、前記電力供給装置は、前記情報表示装置との接続部を有し、該接続部を介して情報表示装置に接続された際に、該情報表示装置に表示用電力を供給する表示用電力供給手段を備え、前記情報表示装置は、内部記憶情報を格納する格納手段と、前記内部記憶情報を表示する表示手段とを備えており、
前記情報表示装置の前記表示手段は、前記電力供給装置から供給される表示用電力によって前記内部記憶情報を表示することを特徴とする情報表示システム。
【発明の詳細な説明】
【０００１】
【発明の属する技術分野】
本発明は、情報表示システムに関し、詳しくはユーザの情報表示装置の置き忘れ等により情報表示装置内の内部記憶情報が外部に流出するのを防止する情報表示システムに関するものである。
【０００２】
【従来の技術】
情報処理装置本体と、情報処理装置本体から分離可能な記憶デバイスとからなる情報処理装置において、ユーザを識別するためのパスワードを、情報処理装置本体のＲＡＭと記憶デバイスの数式エリアとに分割して格納しておき、情報処理装置本体に記憶デバイスが接続された際に、分割されていたパスワードを組み合わせて元のパスワードを復元し、復元されたパスワードがユーザによって入力されたパスワードと一致するか否かを判断してユーザを識別する情報処理装置がある（例えば、特許文献１参照。）。
【０００３】
この情報処理装置によれば、情報処理装置本体に記憶デバイスが接続された状態で復元されたパスワードと同じパスワードを入力しなければ情報処理装置を使用することはできないので、情報処理装置本体を何処かに置き忘れても、記憶デバイスを一緒に置き忘れなければ情報処理装置本体に格納されているデータが第三者に盗み見られることはない。
【０００４】
【特許文献１】
特開２００１−３４４０３７号公報（第４−５頁、第２図）
【０００５】
【発明が解決しようとする課題】
しかしながら、ユーザが上記の情報処理装置を使用する際には、情報処理装置本体と記憶デバイスを接続してパスワードを入力するという面倒な作業を毎回行わなければならない。
【０００６】
本発明は、上記課題に鑑みてなされたものであって、本発明の目的は、パスワードの入力を行うことなく使用でき、且つユーザのプライバシーに関わる内部記憶情報が外部に流出するのを防止することができる情報表示システムを提供することである。
【０００７】
【課題を解決するための手段】
上記目的を達成するために、請求項１記載の情報表示システムは、電波発信装置と情報表示装置とを含む情報表示システムであって、前記電波発信装置は、表示用電波を発信する表示用電波発信手段を備え、前記情報表示装置は、内部記憶情報を格納する格納手段と、前記内部記憶情報を表示する表示手段と、前記表示用電波を受信すると共に受信した表示用電波から表示用電力を生成する表示用電力生成手段とを備えており、前記情報表示装置は、前記表示手段が前記内部記憶情報を表示するための電源を有しておらず、前記表示手段は、前記表示用電力生成手段によって生成される表示用電力によってのみ前記内部記憶情報を表示することを特徴としている。
【０００８】
請求項２記載の情報表示システムは、請求項１記載の情報表示システムにおいて、前記情報表示装置は、予め自装置に格納されている認証情報を含む認証用電波を発信する認証用電波発信手段を備え、前記電波発信装置は、前記認証用電波を受信する認証用電波受信手段を備え、前記電波発信装置は、受信した認証用電波に含まれる認証情報が予め登録されているものと一致するか否かを判断し、一致すると判断した場合にのみ表示用電波を発信することを特徴としている。
【０００９】
請求項３記載の情報表示システムは、請求項２記載の情報表示システムにおいて、前記電波発信装置は、前記表示用電波と強度が異なる発信用電波を発信する発信用電波発信手段を備え、前記情報表示装置は、前記発信用電波を受信すると共に受信した発信用電波から発信用電力を生成する発信用電力生成手段を備え、前記情報表示装置は、前記認証用電波発信手段が前記認証用電波を発信するための電源を有しておらず、前記認証用電波発信手段は、前記発信用電力生成手段によって生成される発信用電力によってのみ前記認証用電波を発信することを特徴としている。
【００１０】
請求項４記載の情報表示システムは、請求項３記載の情報表示システムにおいて、前記発信用電波は、前記表示用電波より弱く、前記発信用電力生成手段によって生成される前記発信用電力は、前記表示用電力生成手段によって生成される前記表示用電力よりも低い電力であることを特徴としている。
【００１１】
請求項５記載の情報表示システムは、電力供給装置と情報表示装置とを含む情報表示システムであって、前記電力供給装置は、前記情報表示装置との接続部を有し、該接続部を介して情報表示装置に接続された際に、該情報表示装置に表示用電力を供給する表示用電力供給手段を備え、前記情報表示装置は、内部記憶情報を格納する格納手段と、前記内部記憶情報を表示する表示手段とを備えており、前記情報表示装置は、前記表示手段が前記内部記憶情報を表示するための電源を有しておらず、前記表示手段は、前記電力供給装置から供給される表示用電力によってのみ前記内部記憶情報を表示することを特徴としている。
【００１２】
【発明の実施の形態】
以下、本発明の実施形態に係る情報表示システムについて図面に基づき説明する。図１は、本発明の第１の実施形態に係る情報表示システムＡの構成を示すブロック図である。この第１の実施形態においては、情報表示装置Ｂが、電波発信装置Ｃが発信した表示用電波を空間を介して受信し、該表示用電波から表示用電力を生成して内部記憶情報を表示する場合について説明する。なお、この情報表示システムＡは、携帯型情報端末装置（ＰＤＡ：Ｐｅｒｓｏｎａｌ  Ｄｉｇｉｔａｌ  Ａｓｓｉｓｔａｎｔ）や電子ペーパー等の可搬型の情報表示装置に適用することができる。
【００１３】
図示するように、この情報表示システムＡは、内部記憶情報を表示する情報表示装置Ｂと、該情報表示装置Ｂに表示用電波を発信する電波発信装置Ｃとからなる。情報表示装置Ｂは、制御部（ＭＰＵ：Ｍｉｃｒｏｐｒｏｃｅｓｓｉｎｇ  Ｕｎｉｔ）１、ＲＯＭ（Ｒｅａｄ  Ｏｎｌｙ  Ｍｅｍｏｒｙ）２、ＲＡＭ（Ｒａｎｄｏｍ  Ａｃｃｅｓｓ  Ｍｅｍｏｒｙ）３、操作部４、表示部５、データ記憶部６、電力生成部７、及び電力供給コントローラ８を備えたものであって、各部１乃至８は、バス９によって通信可能に接続されている。
【００１４】
制御部１は、所定のプログラムに従ってこの情報表示装置Ｂを構成する各部を制御するものである。ＲＯＭ２は、制御部１によりこの情報表示装置Ｂの各部の動作が制御されるための各種プログラムを格納している。ＲＯＭ２に格納されているプログラムは、例えば、データ記憶部６に格納されている内部記憶情報を表示部５に表示させるための表示処理プログラムである。
【００１５】
ＲＡＭ３は、不揮発性メモリで構成されており、登録されたメールアドレス、各種設定情報等を予め格納している。操作部４は、カーソルキー等から構成され、各種動作指示を入力する。
【００１６】
表示部５は、この情報表示装置Ｂの状態に関する情報、各種操作指示入力画面、動作状態等を表示する液晶表示装置等からなり、制御部１の制御命令に従ってデータ記憶部６に格納されている内部記憶情報を表示する表示手段として機能する。データ記憶部６は、不揮発性メモリで構成されており、画像データやテキストデータ等の内部記憶情報を格納する格納手段として機能する。
【００１７】
電力生成部７は、電波発信装置Ｃが発信した表示用電波を空間を介して受信すると共に、該表示用電波から表示用電力を生成する表示用電力生成手段として機能する。ここで、表示用電力は、制御部１がデータ記憶部６に格納されている内部記憶情報を表示部５に表示させたり、内部記憶情報の編集や消去等を行うために必要な電力である。前記表示用電波は、電波発信装置Ｃから発信される特定の周波数及び強度の電波である。この電力生成部７で生成された表示用電力は、電力供給コントローラ８によって情報表示装置Ｂの各部に供給され、制御部１は、この表示用電力によりデータ記憶部６に格納されている内部記憶情報を表示部５に表示させる。なお、情報表示装置Ｂは、制御部１が表示部５に内部記憶情報を表示させるための電源を有しておらず、電力生成部７において生成された表示用電力によってのみ内部記憶情報を表示することができる。
【００１８】
一方、電波発信装置Ｃは、可搬型の装置であり、制御部２１、ＲＯＭ２２、電力供給部２３、及び電波発信部２４を備えたものであって、各部２１乃至２４は、バス２５によって通信可能に接続されている。
【００１９】
制御部２１は、所定のプログラムに従ってこの電波発信装置Ｃを構成する各部を制御するものである。ＲＯＭ２２は、制御部２１によりこの電波発信装置Ｃの各部の動作が制御されるための各種プログラムを格納している。ＲＯＭ２２に格納されているプログラムは、例えば、電波発信部２４から前記した表示用電波を発信するための電波発信処理プログラムである。
【００２０】
電力供給部２３は、制御部２１が種々の処理を行うために必要な電力や、電波発信部２４が表示用電波を発信するために必要な電力を供給するものであり、例えば、可搬型の電池である。電波発信部２４は、制御部２１の制御命令に従って表示用電波を発信する表示用電波発信手段として機能する。
【００２１】
以下、上記の通り構成された本実施形態に係る情報表示システムＡにおいて、表示用電波を発信した電波発信装置Ｃとその表示用電波を空間を介して受信した情報表示装置Ｂで行われる処理動作について、図２に基づいて説明する。
【００２２】
電波発信装置Ｃは、電波発信部２４から表示用電波を発信する（Ｓ５１）。これに対し、情報表示装置Ｂが前記表示用電波を空間を介して受信すると（Ｓ１）、情報表示装置Ｂの電力生成部７は、受信した表示用電波から表示用電力を生成し、生成された表示用電力は電力供給コントローラ８によって情報表示装置Ｂの各部へ供給される（Ｓ２）。制御部１は、供給された表示用電力により、内部記憶情報を表示可能な状態である旨の情報を報知する（Ｓ３）。具体的には、表示部５に情報表示装置Ｂが使用可能である旨のメッセージを表示させる。そして、操作部４から内部記憶情報を表示させるための所定操作がなされたか否かを判断し（Ｓ４）、所定操作がなされた場合には（Ｓ４：ＹＥＳ）、データ記憶部６に格納されている内部記憶情報を表示部５に表示させる（Ｓ５）。なお、Ｓ４で判断する所定操作は、ここでは単に所定のキーを操作することであるが、予め登録された所定のパスワードの入力であってもよい。
【００２３】
なお、前記Ｓ２において、電力生成部７で生成される電力の大きさは、空間を介して受信した表示用電波の強度に依存するため、情報表示装置Ｂと電波発信装置Ｃとの距離がある程度離れていて、電力発生部７で生成される電力が表示用電力に満たない場合は、制御部１はデータ記憶部６に格納されている内部記憶情報を表示部５に表示させることはできない。逆に電力生成部７で生成された電力が表示用電力を超えている場合には、その電力は電力供給コントローラ８によってコントロールされ、所定の前記表示用電力が情報表示装置Ｂの各部に供給される。また、前記Ｓ５において、表示部５に内部記憶情報が表示されている場合であっても、情報表示装置Ｂと電波発信装置Ｃとの距離がある程度離れれば情報表示装置Ｂの各部に表示用電力が供給されなくなり、表示部５は非表示状態へと戻される。
【００２４】
以上説明したように、情報表示装置Ｂは、電波発信装置Ｃから発信された表示用電波を空間を介して受信し、該表示用電波から表示用電力を生成できなければ、内部記憶情報を表示することはできないので、ユーザが情報表示装置Ｂを何処かへ置き忘れても、電波発信装置Ｃを一緒に置き忘れなければ情報表示装置Ｂの内部記憶情報が他人に流出するのを防止することができる。
【００２５】
また、第１の実施形態の変形例として、情報表示装置Ｅに電力供給装置Ｆを接続して、該電力供給装置Ｆから情報表示装置Ｅに表示用電力を直接供給するようにしてもよい。図３は、その変形例に係る情報表示システムＤの構成を示したブロック図である。なお、第１の実施形態に係る情報表示システムＡと同一の構成のものには同一番号を付けてその説明を省略し、異なる点について以下で説明する。情報表示装置Ｅは、図１に示した第１の実施形態の情報表示装置Ｂにおいて、電力生成部７の代わりに本体側接続部１０を具備している。また、情報表示装置Ｅに接続される電力供給装置Ｆは、電波発信装置Ｃにおいて制御部２１、ＲＯＭ２２、及び電波発信部２４の代わりに、接続部２６を具備している。
【００２６】
本体側接続部１０及び接続部２６は、情報表示装置Ｅと電力供給装置Ｆとを接続するものであり、例えばコネクタである。電力供給部２３は、本実施形態では、情報表示装置Ｅに表示用電力を直接供給する表示用電力供給手段として機能する。ここでは、表示用電力は接続部２６、本体側接続部１０、及び電力供給コントローラ８を介して情報表示装置Ｅの各部に直接供給される。また、情報表示装置Ｅは、制御部１が内部記憶情報を表示部５に表示させるための電源を有しておらず、電力供給部２３から供給される表示用電力によってのみ内部記憶情報を表示部５に表示させることができる。
【００２７】
以下、情報表示装置Ｅに電力供給装置Ｆが接続された際に、両装置Ｅ及びＦにおいて行われる処理動作について、図４に基づいて説明する。電力供給装置Ｆが情報表示装置Ｅに接続されると、電力供給部２３から情報表示装置Ｅに表示用電力が供給される（Ｓ５５）。なお、この表示用電力は、電力供給装置Ｆが情報表示装置Ｅに接続されると自動的に供給されるものであるが、情報表示装置Ｅの操作部４から所定のキー操作が行われた場合に供給されるようにしてもよい。そして、供給された表示用電力は、電力供給コントローラ８によって情報表示装置Ｅの各部に供給される（Ｓ１１）。そして、制御部１は、表示用電力が供給されると内部記憶情報を表示可能な状態である旨の情報を報知する（Ｓ１２）。具体的には、表示部５に情報表示装置Ｅが使用可能である旨のメッセージを表示させる。そして、操作部４から内部記憶情報を表示させるための所定操作がなされたか否かを判断し（Ｓ１３）、所定操作がなされた場合には（Ｓ１３：ＹＥＳ）、データ記憶部６に格納されている内部記憶情報を表示部５に表示させる（Ｓ１４）。なお、Ｓ１３で判断する所定操作は、ここでは単に所定のキーを操作することであるが、予め登録された所定のパスワードの入力であってもよい。
【００２８】
したがって、電力供給装置Ｆが情報表示装置Ｅから取り外されている状態では、情報表示装置Ｅは内部記憶情報を表示することはできないので、情報表示装置Ｅを何処かに置き忘れても、電力供給装置Ｆを共に置き忘れなければ内部記憶情報が第三者に盗み見られるのを防止することができる。
【００２９】
次に、本発明の第２の実施形態に係る情報表示システムＧについて説明する。図５は、本発明の第２の実施形態に係る情報表示システムＧの構成を示すブロック図である。この第２の実施形態においては、情報表示装置Ｈは、電波発信装置Ｉが発信した発信用電波を空間を介して受信すると共に受信した発信用電波から発信用電力を生成して認証用電波を発信し、電波発信装置Ｉは、空間を介して受信した認証用電波に含まれている認証情報が予め登録されているものと一致するか否かを判断し、一致すると判断した場合にのみ、前記表示用電波を発信する。なお、第１の実施形態と同一の構成のものには同一番号を付けてその説明を省略し、異なる点について以下で説明する。また、この情報表示システムＧは、第１の実施形態と同様に、携帯型情報端末装置（ＰＤＡ：Ｐｅｒｓｏｎａｌ  Ｄｉｇｉｔａｌ  Ａｓｓｉｓｔａｎｔ）や電子ペーパー等の可搬型の情報表示装置に適用することができる。
【００３０】
図５に示す本実施形態の情報表示装置Ｈは、図１に示した第１の実施形態の情報表示装置Ｂにおいて、認証用電波発信部１１を更に備えている。認証用電波発信部１１は、ＲＡＭ３に予め格納されている認証情報を含む認証用電波を制御部１の制御命令に従って発信する認証用電波発信手段として機能する。ここで、認証情報は、電波発信装置Ｉが情報表示装置Ｈと同型の他の情報表示装置とを識別するための情報であり、例えば、情報表示装置Ｈの機台番号等を採用することができる。
【００３１】
電力生成部７は、表示用電波から表示用電力を生成する他、電波発信装置Ｉが発信した発信用電波を空間を介して受信すると共に、該発信用電波から発信用電力を生成する発信用電力生成手段として機能する。生成された発信用電力は、電力供給コントローラによって情報表示装置Ｈの各部に供給される。ここで、発信用電力は、認証用電波発信部１１が制御部１の制御命令に従ってＲＡＭ３に格納されている認証情報を含んだ認証用電波を発信するために必要な電力である。発信用電波は、情報表示装置Ｈが前記発信用電力を生成するために必要な特定周波数及び強度の電波である。なお、発信用電波と前記した表示用電波は、ここでは同一周波数の電波であるが、その強度において異なり、発信用電波は表示用電波よりも弱い電波である。したがって、情報表示装置Ｈが認証用電波を発信するために供給される発信用電力は、内部記憶情報を表示部５に表示させるために供給される表示用電力よりも低い電力であるため、発信用電力が供給されたことにより、内部記憶情報が表示部５に表示されることはない。
【００３２】
一方、電波発信装置Ｉは、図１に示した第１の実施形態の電波発信装置Ｃにおいて、ＲＡＭ２７、認証用電波受信部２８、及びスピーカ２９を更に備えたものであり、電波発信装置Ｃと同様に可搬型の装置である。ＲＡＭ２７には、予め登録された情報表示装置Ｈの認証情報が格納されている。認証用電波受信部２８は、情報表示装置Ｈから発信された認証用電波を空間を介して受信する認証用電波受信手段として機能する。スピーカ２９は、制御部２１が情報表示装置Ｈから空間を介して受信した認証用電波に含まれている認証情報が予めＲＡＭ２７に格納されているものと一致しないと判断した場合に、所定の警告音を鳴動してその旨を報知する。
【００３３】
また、前記電波発信部２４は、電力供給部２３から供給された電力によって前記表示用電波の他に前記した発信用電波を発信する発信用電波発信手段として機能する。電波発信装置Ｉは、この発信用電波を発信した後、情報表示装置Ｈから発信された認証用電波を空間を介して受信し、該認証用電波に含まれている認証情報が予めＲＡＭ２７に格納されているものと一致すると判断した場合にのみ、前記表示用電波を発信する。
【００３４】
以下、第２の実施形態の情報表示システムＧにおいて、電波発信装置Ｉから発信された発信用電波を情報表示装置Ｈが空間を介して受信した際に、両装置Ｈ及びＩで行われる処理動作について、図６に基づいて説明する。
【００３５】
電波発信装置Ｉは、電波発信部２４から発信用電波を発信する（Ｓ６１）。これに対し、情報表示装置Ｈは、電波発信装置Ｉが発信した電波を空間を介して受信すると（Ｓ２１）、電力生成部７は受信した電波から電力を生成し、その電力は電力供給コントローラ８によって情報表示装置Ｈの各部に供給される（Ｓ２２）。制御部１は、電力供給コントローラ８から供給されている電力が発信用電力であるか、又は表示用電力であるかを判断する（Ｓ２３）。すなわち、前記Ｓ２１で受信した電波が、発信用電波であるか又は表示用電波であるかを判断していることになる。ここで、供給されている電力が発信用電力であると判断した場合には（Ｓ２３：発信用電力）、その発信用電力により予めＲＡＭ３に格納されている認証情報を含んだ認証用電波を認証用電波発信部１１から発信する（Ｓ２４）。
【００３６】
電波発信装置Ｉは、情報表示装置Ｈから発信された認証用電波を空間を介して受信すると（Ｓ６２）、受信した認証用電波に含まれている認証情報が予め登録されているものと一致するか否かを判断し（Ｓ６３）、一致すると判断した場合には（Ｓ６３：ＹＥＳ）、電波発信部２４から表示用電波を発信する（Ｓ６４）。
【００３７】
情報表示装置Ｈは、Ｓ２１で受信してＳ２２で供給されている電力が表示用電力であると判断した場合（Ｓ２３：表示用電力）、供給されている表示用電力により内部記憶情報を表示可能な状態である旨の情報を報知する（Ｓ２５）。具体的には、表示部５に情報表示装置Ｈが使用可能である旨のメッセージを表示させる。そして、操作部４からデータ記憶部６に格納されている内部記憶情報を表示部５に表示させるための所定操作がなされたか否かを判断し（Ｓ２６）、所定操作がなされた場合（Ｓ２６：ＹＥＳ）、データ記憶部６に格納されている内部記憶情報を表示部５に表示させる（Ｓ２７）。なお、Ｓ２６で判断する所定操作は、ここでは単に所定のキーを操作することであるが、予め登録された所定のパスワードの入力であってもよい。また、Ｓ２７において表示部５に内部記憶情報が表示されている場合であっても、情報表示装置Ｈと電波発信装置Ｉとの距離がある程度離れれば情報表示装置Ｈの各部に表示用電力が供給されなくなり、表示部５は非表示状態へと戻される。
【００３８】
一方、電波発信装置Ｉは、Ｓ６２で受信した認証用電波に含まれている認証情報が予め登録されているものと一致しないと判断した場合（Ｓ６３：ＮＯ）、スピーカ２９から警告音を鳴動させて自装置Ｉが情報表示装置Ｈに未対応な装置である旨の警告を報知する（Ｓ６５）。なおこの場合、情報表示装置Ｈは、表示用電波を受信することはできないので、内部記憶情報が表示部５に表示されることはない。
【００３９】
以上説明したように、情報表示装置Ｈは、電波発信装置Ｉから発信された発信用電波を空間を介して受信して認証用電波を発信し、その認証用電波を受信した電波発信装置Ｉから表示用電波を受信できなければ、内部記憶情報を表示することはできないので、ユーザが情報表示装置Ｈを何処かへ置き忘れても、電波発信装置Ｉを一緒に置き忘れなければ情報表示装置Ｈの内部記憶情報が他人に流出するのを防止することができる。また、電波発信装置Ｉは、情報表示装置Ｈを情報表示装置Ｈと同型の他の情報表示装置と識別できた場合にのみ表示用電波を発信するので、第三者が電波発信装置Ｉと同型の他の電波発信装置を使って情報表示装置Ｈの内部情報を表示させるのを防止することができる。
【００４０】
また、第２の実施形態の変形例として、電力供給装置Ｌを情報表示装置Ｋに接続して、電力供給装置Ｌから情報表示装置Ｋに送信用電力を直接供給し、情報表示装置Ｋは供給された送信用電力により認証情報を送信し、電力供給装置Ｌは、情報表示装置Ｋから受信した認証情報が予め登録されているものと一致した場合にのみ表示用電力を直接供給するようにしてもよい。ここで、送信用電力は、情報表示装置Ｋが電力供給装置Ｌに認証情報を送信するために必要な電力であり、表示用電力は情報表示装置Ｋが内部記憶情報を表示するために必要な電力であり、電力供給装置Ｌから情報表示装置Ｋに直接供給される。図７は、その変形例における情報表示システムＪの構成を示したブロック図である。情報表示装置Ｋは、図５に示した第２の実施形態の情報表示装置Ｈにおいて、電力生成部７及び認証用電波発信部１１の代わりに本体側接続部１０を具備している。また、情報表示装置Ｋに接続される電力供給装置Ｌは、電波発信装置Ｉにおいて電波発信部２４及び認証用電波受信部２８の代わりに、接続部２６を具備している。
【００４１】
ここでは、情報表示装置Ｋから電力供給装置Ｌへと送信される前記認証情報は、ＲＡＭ３から本体側接続部１０、接続部２６等を介してＲＡＭ２７へと送られる。また、前記電力供給部２３は接続部２６、本体側接続部１０等を介して情報表示装置Ｋに前記送信用電力又は前記表示用電力を直接供給し、供給された送信用電力又は表示用電力は、電力供給コントローラ８によって情報表示装置Ｋの各部に供給される。なお、本体側接続部１０及び接続部２６は、第１の実施形態の変形例で説明したものと同様のものであるので、その説明を省略する。
【００４２】
以下、第２の実施形態の変形例において、情報表示装置Ｋに電力供給装置Ｌが接続された際に両装置Ｋ及びＬにおいて行われる処理動作について、図８に基づいて説明する。
【００４３】
電力供給装置Ｌが情報表示装置Ｋに接続されると、電力供給装置Ｌは電力供給部２３から情報表示装置Ｋに送信用電力を供給する（Ｓ７１）。なお、この送信用電力は、電力供給装置Ｌが情報表示装置Ｋに接続されると自動的に供給されるものであるが、情報表示装置Ｋの操作部４から所定のキー操作が行われた場合に供給されるようにしてもよい。そして、情報表示装置Ｋに供給された電力は電力供給コントローラ８によって情報表示装置Ｋの各部へ供給される（Ｓ３１）。制御部１は、電力供給コントローラ８から供給されている電力が送信用電力であるか、又は表示用電力であるかを判断する（Ｓ３２）。供給されている電力が送信用電力である場合には（Ｓ３２：送信用電力）、その送信用電力により予めＲＡＭ３に格納されている認証情報を電力供給装置Ｌに直接送信する（Ｓ３３）。
【００４４】
電力供給装置Ｌは、情報表示装置Ｋから認証情報を受信すると（Ｓ７２）、受信した認証情報が予め登録されているものと一致するか否かを判断し（Ｓ７３）、一致すると判断した場合には（Ｓ７３：ＹＥＳ）、電力供給部２３から接続部２６等を介して情報表示装置Ｋに表示用電力を直接供給する（Ｓ７４）。
【００４５】
情報表示装置Ｋは、電力供給コントローラ８によって供給されている電力が表示用電力であると判断した場合（Ｓ３２：表示用電力）、供給されている表示用電力により内部記憶情報を表示可能な状態である旨の情報を報知する（Ｓ３４）。具体的には、表示部５に情報表示装置Ｋが使用可能である旨のメッセージを表示させる。そして、操作部４からデータ記憶部６に格納されている内部記憶情報を表示部５に表示させるための所定操作がなされたか否かを判断し（Ｓ３５）、所定操作がなされた場合（Ｓ３５：ＹＥＳ）、データ記憶部６に格納されている内部記憶情報を表示部５に表示させる（Ｓ３６）。なお、Ｓ３５で判断する所定操作は、ここでは単に所定のキーを操作することであるが、予め登録された所定のパスワードの入力であってもよい。
【００４６】
一方、電力供給装置Ｌは、Ｓ７２で受信した認証情報が予め登録されているものと一致しないと判断した場合（Ｓ７３：ＮＯ）、スピーカ２９から警告音を鳴動させて自装置Ｌが情報表示装置Ｋに未対応な装置である旨の警告を報知する（Ｓ７５）。なおこの場合、情報表示装置Ｋには表示用電力が供給されないので、内部記憶情報が表示部５に表示されることはない。
【００４７】
【発明の効果】
請求項１記載の情報表示システムによれば、情報表示装置を置き忘れた場合でも、電波発信装置を一緒に置き忘れなければ、情報表示装置の内部記憶情報が表示されることはないので、内部記憶情報が外部に流出するのを防止することが可能である。
【００４８】
請求項２記載の情報表示システムによれば、認証情報が一致しない装置間では電波発信装置から情報表示装置に表示用電波が発信されることはないので、第三者が他の電波発信装置を使って情報表示装置の内部記憶情報を表示させるのを防止することが可能である。
【００４９】
請求項３記載の情報表示システムによれば、情報表示装置の動作を電波発信装置から発信された電波のみで制御することができる。したがって、電波発信装置がなければ情報表示装置を動作させることはできず、情報表示装置の内部記憶情報が意に反して表示されるのを防止することができる。
【００５０】
請求項４記載の情報表示システムによれば、電波発信装置から発信用電波を受信して発信用電力が供給されたことにより、情報表示装置の内部記憶情報が表示されることはないという利点がある。
【００５１】
請求項５記載の情報表示システムによれば、情報表示装置を置き忘れた場合でも、電力供給装置を一緒に置き忘れなければ、情報表示装置の内部記憶情報が表示されることはないので、内部記憶情報が外部に流出するのを防止することが可能である。
【図面の簡単な説明】
【図１】本発明の第１の実施形態に係る情報表示システムの構成を示したブロック図である。
【図２】情報表示装置が電波発信装置から表示用電波を空間を介して受信した際に、情報表示装置及び電波発信装置において行われる処理動作を示したシーケンス図である。
【図３】本発明の第１の実施形態の変形例に係る情報表示システムの構成を示したブロック図である。
【図４】情報表示装置に電力供給装置が接続された際に、情報表示装置及び電力供給装置において行われる処理動作を示したシーケンス図である。
【図５】本発明の第２の実施形態に係る情報表示システムの構成を示したブロック図である。
【図６】情報表示装置が電波発信装置から発信された発信用電波を空間を介して受信した際に、情報表示装置及び電波発信装置において行われる処理動作を示したシーケンス図である。
【図７】本発明の第２の実施形態の変形例に係る情報表示システムの構成を示したブロック図である。
【図８】情報表示装置に電力供給装置が接続された際に、情報表示装置及び電力供給装置において行われる処理動作を示したシーケンス図である。
【符号の説明】
Ａ、Ｄ、Ｇ、Ｊ  情報表示システム
Ｂ、Ｅ、Ｈ、Ｋ  情報表示装置
Ｃ、Ｉ  電波発信装置
Ｆ、Ｌ  電力供給装置
１、２１  制御部
２、２２  ＲＯＭ
３、２７  ＲＡＭ
５  表示部
６  データ記憶部
７  電力生成部
８  電力供給コントローラ
１０  本体側接続部
１１  認証用電波発信部
２３  電力供給部
２４  電波発信部
２６  接続部
２８  認証用電波受信部
【図１】
2004310627.tif 000003
【図２】
2004310627.tif 000004
【図３】
2004310627.tif 000005
【図４】
2004310627.tif 000006
【図５】
2004310627.tif 000007
【図６】
2004310627.tif 000008
【図７】
2004310627.tif 000009
【図８】
2004310627.tif 000010